(57)【特許請求の範囲】
【請求項１】
雄側電気コネクタの雄接続端子を挟持するコネクタ端子を備えた電気コネクタにおいて、
前記雄接続端子が挿入されたときに、前記コネクタ端子の外側を支持して、前記コネクタ端子の倒れを規制する支持部が形成され、
前記コネクタ端子は、一対のばね端子部および規制部を有する端子本体部と、接続部とを備え、
前記一対のばね端子部のうち、一方のばね端子部は、前記雄接続端子に接触する第１ばね部と、前記第１ばね部を支持する第１ばね支持部とを備え、
前記一対のばね端子部のうち、他方のばね端子部は、前記雄接続端子に接触する第２ばね部と、前記第２ばね部を支持する第２ばね支持部とを備え、
前記規制部は、前記第１ばね部と前記第２ばね支持部との間隔の開きを規制するものであり、
前記接続部は、前記１ばね支持部に設けられて基体に接続されるものであり、
前記支持部は、前記コネクタ端子が収容されるハウジングの端子収容室の内側壁から突出して、前記第２ばね支持部の外側に先端部が当接して支持するランス部である電気コネクタ。
【請求項２】
前記ランス部の先端部には、前記第２ばね支持部の外側に当接する当接面が形成されている請求項１記載の電気コネクタ。
【請求項３】
前記ランス部は、前記第２ばね支持部の外側に傾斜した状態で当接している請求項２記載の電気コネクタ。
【請求項４】
前記第２ばね支持部に、前記ランス部の先端部が係止する突起部が形成されている請求項２または３記載の電気コネクタ。
【請求項５】
前記突起部は、前記コネクタ端子の圧入方向の先側の傾斜面が鋭角に形成され、前記ランス部が当接する基側の傾斜面が直角を含む鈍角に形成されている請求項４記載の電気コネクタ。
【請求項６】
前記ランス部の先端部には、前記突起部の基側の傾斜面に当接する当接面が形成されている請求項５記載の電気コネクタ。
【請求項７】
前記規制部は、前記第１ばね部と前記第２ばね支持部との側部同士を繋ぐ連結部により形成されている請求項１記載の電気コネクタ。
【請求項８】
前記規制部は、前記第１ばね部と前記第２ばね支持部との端部同士を繋ぐ連結部と、前記第１ばね部から前記連結部を介して前記第２ばね支持部に跨る変形防止用の段差部とから形成されている請求項１記載の電気コネクタ。
【発明の詳細な説明】
【技術分野】
【０００１】
本発明は、雄側電気コネクタの雄接続端子を、一対のばね端子部により挟持するコネクタ端子を備えた電気コネクタに関するものである。
【背景技術】
【０００２】
プリント基板同士を接続したり、ケーブルとプリント基板とを接続したりするために、雄側の電気コネクタの雄接続端子を挟持して電気的に接続するコネクタ端子が使用される。このようなコネクタ端子について、例えば、特許文献１に記載されたものが知られている。
【０００３】
特許文献１に記載の電気コネクタは、雄形コンタクト（雄接続端子）と嵌合する接触部と、基部と、接触部の先端から引き出されるばね性を有する導電性材料からなる脚とを備え、基部の上面に接触部の押し下げ防止用の突起が設けられている。
特許文献１の電気コネクタは、基部に接触部の押し下げ防止用の突起が設けられているため、雄接続端子が変位したときに、押し拡げられる接触部を突起が下端から支持して接触部の下端が過度に下降することを規制することで、フローティング機構を持たせながら、低背化を図っている。
【先行技術文献】
【特許文献】
【０００４】
【特許文献１】実用新案登録第２５９５４８３号公報
【発明の概要】
【発明が解決しようとする課題】
【０００５】
しかし、特許文献１に記載の電気コネクタでは、接触部の下端が下降し、基部に当接した後は、脚と反対側の接触部が外側へ倒れるように開いてしまうので、相手コンタクトに対する接触圧が低下してしまい、結果として接触信頼性を損ねてしまうという問題がある。特に、雄接続端子がコネクタ端子に対して位置がずれた状態で、雌側であるコンタクト端子に挿入されると、雄接続端子への接触圧が低下するだけなく、雄接続端子やコンタクト端子に座屈が発生するおそれがある。
【０００６】
また、この雄接続端子と雌側である端子コネクタとの位置関係は、雄接続端子を端子コネクタに挿入した後でも発生することがある。特に、車両に搭載される電気コネクタでは、車両の走行による振動や基板周囲の温度変化による熱膨張差の影響で、雌側の電気コネクタが実装された一方のプリント基板と、雄側の電気コネクタが実装された他方のプリント基板との位置関係がずれやすい。この位置関係のずれは、ハウジング同士が嵌合により抑止されるが、ハウジング同士のクリアランス程度のずれは生じてしまう。従って、振動の度に雄接続端子が変位するため、雌側の電気コネクタのコネクタ端子においては、接触信頼性を確保することは重要である。
【０００７】
そこで本発明は、雄接続端子がずれた状態で挿入されたり、雄接続端子が挿入された状態で変位したりしても、雄接続端子への接触信頼性の低下を防止することができるコネクタ端子を提供することを目的とする。
【課題を解決するための手段】
【０００８】
本発明の電気コネクタは、雄側電気コネクタの雄接続端子を挟持するコネクタ端子を備えた電気コネクタにおいて、前記雄接続端子が挿入されたときに、前記コネクタ端子の外側を支持して、前記コネクタ端子の倒れを規制する支持部が形成され、前記コネクタ端子は、一対のばね端子部および規制部を有する端子本体部と、接続部とを備え、前記一対のばね端子部のうち、一方のばね端子部は、前記雄接続端子に接触する第１ばね部と、前記第１ばね部を支持する第１ばね支持部とを備え、前記一対のばね端子部のうち、他方のばね端子部は、前記雄接続端子に接触する第２ばね部と、前記第２ばね部を支持する第２ばね支持部とを備え、前記規制部は、前記第１ばね部と前記第２ばね支持部との間隔の開きを規制するものであり、前記接続部は、前記１ばね支持部に設けられて基体に接続されるものであり、前記支持部は、前記コネクタ端子が収容されるハウジングの端子収容室の内側壁から突出して、前記第２ばね支持部の外側に先端部が当接して支持するランス部である。
【０００９】
本発明の電気コネクタによれば、雄接続端子がコネクタ端子に挿入されたときに、支持部としたランス部がコネクタ端子の第２ばね支持部の外側を支持して、コネクタ端子の倒れを規制するので、コネクタ端子の倒れによる雄接続端子への接触信頼性の低下を防止することができる。ここで、「前記雄接続端子が挿入されたとき」とは、雄接続端子がコネクタ端子に挿入される瞬間と、コネクタ端子に挿入された雄接続端子がその状態を維持している場合を含む。
雄接続端子が第２ばね部の方向へ移動したときに、第１ばね部が規制部により第１ばね支持部と共に引き寄せられる。従って、端子本体部が雄接続端子の移動と共に変位するが、ランス部が第２ばね支持部を支持しているため、端子本体部の外側への開きが規制されるので、第１ばね部と第２ばね部とによる接触圧を維持させることができる。
【００１０】
前記ランス部の先端部に、前記第２ばね支持部の外側に当接する当接面が形成されていると、当該当接面が第２ばね支持部の外側へ面接触させることができ、前記ランス部の先端角部が第２ばね支持部の外側へ当接して、前記ランス部の先端角部に応力が集中し破損することを防止することができる。
【００１２】
前記ランス部が、前記第２ばね支持部の外側に傾斜した状態で当接しているのが望ましい。このようにランス部が形成されていることで、雄接続端子がコネクタ端子へ挿入する際にランス部の方向へ偏ったときには、ランス部の傾斜方向が端子収容室の内壁部に対して閉じる方向に移動して、第２ばね支持部の外側を突き上げるように支持させることができる。
【００１３】
前記第２ばね支持部に、前記ランス部の先端部が係止する突起部が形成されているのが望ましい。ランス部の先端部が突起部に係止することで、コネクタ端子の倒れに、ランス部の先端部の当接位置がずれることなく支持させることができる。
【００１４】
前記ランス部の先端部に、前記突起部の基側の傾斜面に当接する当接面が形成されていると、当該当接面をしっかりと傾斜面に当接させることができるので、更に、ランス部の先端を突起部の傾斜面から外れにくくすることができる。
【００１５】
前記突起部は、前記コネクタ端子の圧入方向の先側の傾斜面が鋭角に形成され、前記ランス部が当接する基側の傾斜面が直角を含む鈍角に形成されていると、コネクタ端子の圧入の際に突起部がランス部の邪魔にならずに、しっかりとランス部を突起部に係止させることができる。
【００１７】
前記規制部が、前記第１のばね部と前記第２のばね支持部との側部同士を繋ぐ連結部により形成されていると、雄接続端子が変位して第１のばね部を押圧して、第２のばね部との間隔を拡げようとしても、第１ばね部と第２ばね支持部との間隔は連結部により変化しないため、第２ばね部が第１ばね部から離れてしまうことを防止することができる。
【００１８】
前記規制部は、前記第１ばね部と前記第２ばね支持部との端部同士を繋ぐ連結部と、前記第１ばね部から前記連結部を介して前記第２ばね支持部に跨る変形防止用の段差部とから形成されているのが望ましい。
段差部により、第１ばね部と連結部と第２ばね支持部との剛性を高めることができる。従って、雄接続端子が変位して第１ばね部を押圧して、第２ばね部との間隔を拡げようとしても、第２ばね部が第１ばね部から離れてしまうことを防止することができる。
【発明の効果】
【００１９】
本発明は、コネクタ端子の倒れを防止することができるので、雄接続端子がずれた状態で挿入されたり、雄接続端子が挿入された状態で変位したりしても、雄接続端子への接触信頼性の低下を防止することができる。
【図面の簡単な説明】
【００２０】
【図１】本発明の実施の形態１に係る雌側の電気コネクタがプリント基板に実装された状態を示す斜視図である。
【図２】図１に示す電気コネクタの平面図である。
【図３】図１に示す電気コネクタの正面図である。
【図４】図１に示す電気コネクタのコネクタ端子を第２ばね支持部側から見た斜視図である。
【図５】図４に示すコネクタ端子を連結部側から見た斜視図である。
【図６】図４に示すコネクタ端子の平面図である。
【図７】図４に示すコネクタ端子の正面図である。
【図８】図１に示す電気コネクタのハウジングの断面図である。
【図９】第２ばね支持部とランス部との係止状態を示す一部拡大断面図である。
【図１０】図１に示す電気コネクタと嵌合する雄側の電気コネクタがプリント基板に実装された状態を示す斜視図である。
【図１１】図１０に示す電気コネクタの平面図である。
【図１２】図１０に示す電気コネクタの正面図である。
【図１３】図１に示す雌側の電気コネクタと、図１０に示す雄側の電気コネクタとが嵌合した状態を示す斜視図である。
【図１４】図１３に示す嵌合状態の電気コネクタの断面図である。
【図１５】図１０に示すコネクタ端子に挿入された雄接続端子が第１ばね部の方向に水平変位した状態の図である。
【図１６】図１０に示すコネクタ端子に挿入された雄接続端子が第２ばね部の方向に水平変位した状態の図である。
【図１７】本発明の実施の形態２に係るコネクタ端子を第２ばね支持部側から見た斜視図である。
【図１８】図１７に示すコネクタ端子の第１ばね支持部側から見た斜視図である。
【図１９】図１７に示すコネクタ端子を収容した雌側の電気コネクタと雄側の電気コネクタとが嵌合した状態の断面図である。
【発明を実施するための形態】
【００２１】
（実施の形態１）
本発明の実施の形態１に係る雌側の電気コネクタを図面に基づいて説明する。なお、本明細書におけるコネクタ端子の説明においては、雄側の電気コネクタにおける雄接続端子の挿入側を上、プリント基板側を下としている。
図１から図３に示すように、電気コネクタ１０は、車載用の回路基板であるプリント基板Ｐ１に実装され、図１０から図１２に示すプリント基板Ｐ２に実装された雄側の電気コネクタ１００に嵌合させて、プリント基板Ｐ１とプリント基板Ｐ２とを電気的に接続するものである。電気コネクタ１０は、コネクタ端子２０と、ハウジング３０とを備えている。
【００２２】
図４から図７に示すコネクタ端子２０は、１枚の金属板を打ち抜き、曲げ加工を施すことによって形成される。コネクタ端子２０は、雄側の電気コネクタ１００の雄接続端子を挟持する端子本体部２０ａと、端子本体部２０ａをプリント基板Ｐ１に接続固定する接続部２０ｂとを備え、ハウジング３０の端子収容室Ｒに収容される。コネクタ端子２０は、この端子収容室Ｒに底部から圧入される。
【００２３】
端子本体部２０ａは、一対のばね端子部２１，２２と、連結部２３とを備えている。
一対のばね端子部２１，２２のうち、一方のばね端子部２１は、雄接続端子の一面側に接触する第１ばね部（一方のばね部）２１１と、第１ばね部２１１を支持する第１ばね支持部（一方のばね支持部）２１２とにより形成されている。
また、他方のばね端子部２２は、雄接続端子の他面側に接触する第２ばね部（他方のばね部）２２１と、第２ばね部２２１を支持する第２ばね支持部（他方のばね支持部）２２２とにより形成されている。
【００２４】
第１ばね部２１１は、第１ばね支持部２１２の先端部に位置する可動部２１２ａから垂下した状態で設けられた板ばね構造を有する端子である。第１ばね部２１１の接触面には、略長方形状の凸部２１１ｂが２ヵ所に形成されている。凸部２１１ｂは、プレス加工で押し出して形成されている。
【００２５】
第１ばね支持部２１２は、プリント基板Ｐ１側の基端部に幅広部２１２ｂが形成され、幅広部２１２ｂから先端部へ向けて幅が徐々に狭く形成され、先端部が可動部２１２ａに繋がっている。幅広部２１２ｂの側面には、ハウジング３０の端子収容室Ｒの側壁に係止する図示しない鋸刃状の突起が形成されている。可動部２１２ａは、弾性変形しやすいように、第１ばね支持部２１２の先端部と共に、後述する幅広部より幅狭に形成されている。
第１ばね支持部２１２の外側（第１ばね部２１１と反対の背面側）には、後述するハウジング３０の突出部に係止させるための突起部２１２ｃが略三角形状に形成されている。この突起部２１２ｃはプレス加工により底部を破断させて形成されている。
【００２６】
第２ばね部２２１は、第１ばね部２１１との間が雄側の電気コネクタ１００の雄接続端子の挿入空間Ｓとなるように、第１ばね部２１１と対向配置されている。第２ばね部２２１は、第２ばね支持部２２２とほぼ同幅に形成され、第２ばね支持部２２２の先端部に位置する折り曲げ部２２２ａから垂下した状態で設けられ、雄接続端子の他面側に接触する板ばね構造を有する端子である。第２ばね部２２１の先端には、板厚を略Ｖ字状に屈曲させた接点部２２１ａが形成されている。
【００２７】
第２ばね支持部２２２の外側（第２ばね部２２１と反対の背面側）には、後述するハウジング３０のランス部３１１ａに当接して、一対のばね端子部２１，２２の開きを規制するための突起部２２２ｂが略三角形状に形成されている。この突起部２２２ｂはプレス加工により底部を破断させて形成されている。
【００２８】
突起部２２２ｂは、図９に示すように、第２ばね支持部２２２の背面に対して、コネクタ端子２０の圧入方向の先側の傾斜面２２２ｃが鋭角（図９においてはθ１）に形成され、ランス部３１１ａが係止する基側の傾斜面２２２ｄが直角を含む鈍角（図９においてはθ２）に形成されている。
【００２９】
図４から図７に示すように、連結部２３は、第１ばね部２１１と第２ばね支持部２２２との間隔の開きを規制する規制部として機能するものである。連結部２３は、第１ばね部２１１と第２ばね支持部２２２との雄接続端子の挿抜方向に沿った側部同士を繋ぐように形成されている。
【００３０】
接続部２０ｂは、基体であるプリント基板Ｐ１に嵌入されて固定される針状の端子である。接続部２０ｂは、端子本体部２０ａの第１ばね支持部２１２の基端部に繋がっている。
【００３１】
図１から図３に示すハウジング３０は、平面視略長方形状に形成され、コネクタ端子２０を収容する端子収容室Ｒが縦列および横列に形成されたハウジング本体部３１と、ハウジング本体部３１の長手方向の両端部から双方向へ突出した一対のフランジ部３２とを備えている。
【００３２】
図８に示すように、ハウジング本体部３１には、長手方向に沿った２列の端子収容室Ｒを区画する内壁部である隔壁部３１１から傾斜した状態で突出させて、図４に示す第２ばね支持部２２２の突起部２２２ｂに係止させる支持部となるランス部３１１ａが形成されている。コネクタ端子２０の端子収容室Ｒへの圧入が端子収容室Ｒの底部からであり、第２ばね支持部２２２の倒れが、第２ばね支持部２２２の底部を中心として上部が外側へ向う方向となるため、ランス部３１１ａの傾斜方向は、隔壁部３１１の底部から第２ばね支持部２２２の上部に向う、斜め上方としている。
【００３３】
また、ハウジング本体部３１には、図８，図１４に示すように、隔壁部３１１の反対側の内壁部３１２を開口して、第１ばね支持部２１２の突起部２１２ｃに係止させる台部３１２ａが形成されている。更に、ハウジング本体部３１には、雄側の電気コネクタ１００のハウジングと嵌合したときに、ハウジングに係合させるための係合突起３１３と係合凸部３１４とが形成されている。
フランジ部３２には、固定部材によりプリント基板Ｐ１に固定するための貫通孔３２ａが、それぞれに形成されている。
【００３４】
ここで、ランス部３１１ａについて、図９に基づいて詳細に説明する。
ランス部３１１ａは、弾性変形可能な柱状に形成されている。ランス部３１１ａの先端部３１１ｂには、端子本体部２０ａの背面となる第２ばね支持部２２２と面接触する当接面３１１ｃが形成されている。当接面３１１ｃは、第２ばね支持部２２２の背面と略平行となる面とするのが望ましい。
【００３５】
また、ランス部３１１ａの先端部３１１ｂには、突起部２２２ｂの傾斜面２２２ｄに係止して、傾斜面２２２ｄと面接触する当接面３１１ｄが形成されている。当接面３１１ｄは、傾斜面２２２ｄの傾斜角度に対応させて形成されているのが望ましい。そうすることで、当接面３１１ｄを傾斜面２２２ｄに当接する当接面とすることができ、当接面３１１ｄを隙間なく傾斜面２２２ｄに当接させることができる。
【００３６】
コネクタ端子２０を端子収容室Ｒに圧入する際には、コネクタ端子２０の圧入と共に、ランス部３１１ａが、突起部２２２ｂの傾斜面２２２ｃに乗り上げることで閉じる方向へ弾性変形する。ランス部３１１ａが傾斜面２２２ｃを超えると変形が復帰して傾斜面２２２ｄに係止し、第２ばね支持部２２２の背面に当接した状態となる。
突起部２２２ｂは、コネクタ端子の圧入方向の先側の傾斜面２２２ｃが鋭角に形成され、ランス部３１１ａが係止する基側の傾斜面２２２ｄが直角を含む鈍角に形成されているので、コネクタ端子２０の圧入の際に突起部２２２ｂがランス部３１１ａの邪魔にならずに、しっかりとランス部３１１ａを突起部２２２ｂに係止させることができる。
【００３７】
次に、プリント基板Ｐ２に実装された雄側の電気コネクタ１００について、図面に基づいて説明する。
図１０から図１２に示すように、電気コネクタ１００は、一端部がプリント基板Ｐ２に嵌入され、固定されると共に、他端部が電気コネクタ１０のコネクタ端子２０（図１参照）に挿入される針状の雄接続端子１１０と、電気コネクタ１０のハウジング３０を内側に挿入させて嵌合するハウジング１２０とを備えている。
【００３８】
ハウジング１２０は、嵌合側が開口した有底の箱状に形成され、雄接続端子１１０を縦列および横列に配置し固定するハウジング本体部１３０と、ハウジング本体部１３０の長手方向の両端部から双方向へ突出したフランジ部１４０とを備えている。
ハウジング本体部１３０には、雌側の電気コネクタ１０のハウジング３０に形成された係合突起３１３と係合凸部３１４に係合する係合孔１３１ａと、係合凹部１３１ｂとが、周壁部１３１に形成されている。なお、係合突起３１３と係合孔１３１ａ、および係合凸部３１４と係合凹部１３１ｂの係合状態は、遊びをもった嵌め合い状態（所謂、遊嵌状態）となっているため、電気コネクタ１０と電気コネクタ１００との間の変位を可能としている。また、フランジ部１４０には、プリント基板Ｐ２に固定部材により固定するための貫通孔１４１が形成されている。
【００３９】
以上のように構成された本発明の実施の形態に係る電気コネクタの使用状態を図面に基づいて説明する。
図１３および図１４に示すように、プリント基板Ｐ１に実装された雌側の電気コネクタ１０に、プリント基板Ｐ２に実装された雄側の電気コネクタ１００を重ね合わせる。電気コネクタ１００のハウジング１２０に収容された雄接続端子１１０が、コネクタ端子２０の挿入空間Ｓへ挿入される。
【００４０】
雄接続端子１１０が押し込まれることで、第１ばね部２１１に雄接続端子１１０の一面が接触し、第２ばね部２２１に雄接続端子１１０の他面が接触して、摺動しながら奥部へと進入する。
このとき、プリント基板Ｐ１とプリント基板Ｐ２との位置関係がずれた状態で雄接続端子１１０がコネクタ端子２０に挿入されたり、雄接続端子１１０をコネクタ端子２０に挿入した後に、振動によりプリント基板Ｐ１とプリント基板Ｐ２との位置関係がずれ、雄接続端子１１０が、コネクタ端子２０に挿入された状態で揺動したりしたとする。
【００４１】
例えば、図１５に示すように、雄接続端子１１０が第１ばね部２１１側へ接近するような移動をした場合では、雄接続端子１１０の変位により、第１ばね部２１１が押圧され、第１ばね部２１１と第２ばね部２２１との間隔が拡がろうとする。第１ばね部２１１と第２ばね支持部２２２とは、連結部２３により側部が連結されていることで、連結部２３が第１ばね部２１１と第２ばね支持部２２２との間隔の開きを規制する規制部として機能するため、第１ばね部２１１側に第２ばね支持部２２２が引き寄せられる。
【００４２】
従って、端子本体部２０ａと雄接続端子１１０との接触状態はそのままに、接続部２０ｂに固定された第１ばね支持部２１２の先部に位置する可動部２１２ａが、弾性変形して閉じることで、雄接続端子１１０が移動した位置に第１ばね部２１１と第２ばね部２２１とを移動させることができる。このように、第１ばね部２１１と第２ばね部２２１との間隔は変化しないため、第２ばね部２２１の弾性復帰力による雄接続端子１１０への接触圧を維持することができる。
このとき、ランス部３１１ａが隔壁部３１１から傾斜した状態で第２ばね支持部２２２の突起部２２２ｂに係止しているため、ランス部３１１ａの弾性変形により傾斜方向が、端子収容室Ｒの内壁部に対して開く方向に移動することで、端子本体部２０ａの変位に、ランス部３１１ａの先端部が追従する。従って、ランス部３１１ａの先端部が突起部２２２ｂから外れてしまうことが防止できる。なお、ランス部３１１ａが第２ばね支持部２２２の背面を弾性的に押圧するように設定されていても良い。この場合、ランス部３１１ａは、端子本体部２０ａの変位にランス部３１１ａの弾性力によって追従し、ランス部３１１ａの先端部が突起部２２２ｂから外れてしまうことが防止できる。
【００４３】
また、図１６に示すように、雄接続端子１１０が第２ばね部２２１に接近するような移動をした場合、雄接続端子１１０の変位により第２ばね部２２１が押圧されると共に、ランス部３１１ａの弾性変形により傾斜方向が閉じる方向へ移動して、第２ばね部２２１と第１ばね部２１１の間隔が拡がろうとする。しかし、第１ばね部２１１と第２ばね支持部２２２とは、上述したように、連結部２３により側部が連結されているため、第２ばね支持部２２２側に第１ばね２１１が引き寄せされる。従って、端子本体部２０ａと雄接続端子１１０との接触状態はそのままに、可動部２１２ａが弾性変形して開くことで、雄接続端子１１０が移動した位置に第１ばね部２１１と第２ばね部２２１とを移動させることができる。このように、第１ばね部２１１と第２ばね部２２１との間隔は変化しないため、第２ばね部２２１の弾性復帰力による雄接続端子１１０への接触圧を維持することができる。
【００４４】
また、上述したように、ランス部３１１ａが、隔壁部３１１から傾斜した状態で、第２ばね支持部２２２の突起部２２２ｂに係止しているため、ランス部３１１ａが突き上げるように、第２ばね支持部２２２の倒れを規制する。また、ランス部３１１ａが第２ばね支持部２２２を押圧するように設定されることにより、第２ばね支持部２２２の倒れを規制する。従って、雄接続端子１１０が第２ばね部２２１に接近するような移動をした場合、ランス部３１１ａが無いと、第１ばね支持部２１２の上部部分が弾性変形して、端子本体部２０ａが第２ばね支持部２２２側に倒れてしまい、雄接続端子１１０と第２ばね部２２１の接触圧が高まる一方、雄接続端子１１０と第１ばね部２１１との接触圧が低下してしまうが、ランス部３１１ａによって、第２ばね支持部２２２が底部を中心として外側へ倒れることが防止できるため、第１ばね部２１１と第２ばね部２２１による接触圧を維持することができる。よって、端子本体部２０ａによる雄接続端子１１０への接触信頼性の低下の防止を図ることができる。
【００４５】
このようにして、プリント基板Ｐ１，Ｐ２に振動により位置ずれが生じ、雄接続端子１１０が変位しても、第１ばね部２１１と第２ばね部２２１とによる雄接続端子１１０への接触圧を維持した状態で、端子本体部２０ａが揺動して追従することで、雄接続端子１１０への接触信頼性の低下を防止することができる。
【００４６】
図９に示すように、本実施の形態では、ランス部３１１ａの先端部３１１ｂが係止する突起部２２２ｂが第２ばね支持部２２２に形成されているため、端子本体部２０ａが揺動しても、ランス部３１１ａの先端部３１１ｂが第２ばね支持部２２２から外れることなく、支持させることができる。
【００４７】
また、当接面３１１ｃを第２ばね支持部２２２の背面に面接触させることができ、ランス部３１１ａの先端角部が第２ばね支持部２２２の背面に当接して、ランス部３１１ａの先端角部に応力が集中し破損することを防止することができる。また、ランス部３１１ａの当接面３１１ｃを第２ばね支持部２２２の背面に当接させているので、当接面３１１ｃが第２ばね支持部２２２の背面への摩擦面となることにより、しっかりとランス部３１１ａにより第２ばね支持部２２２の背面を支持させることができる。
また、当接面３１１ｄが傾斜面２２２ｄの傾斜角度に対応させて形成されているので、しっかりとランス部３１１ａを突起部２２２ｂに係止させることができ、更に、ランス部３１１ａの先端を突起部２２２ｂの傾斜面２２２ｄから外れにくくすることができる。
【００４８】
図４に示すように、第１ばね部２１１には、雄接続端子１１０の一面側に当接する１以上の凸部２１１ｂが形成されており、また、第２ばね部２２１の先端部に略Ｖ字状に屈曲された接点部２２１ａが形成されているので、接触圧を凸部２１１ｂと接点部２２１ａとに集中させることができるので、十分な接触圧で雄接続端子１１０を挟持させることができる。
【００４９】
本実施の形態１では、図１４に示すようにランス部３１１ａが第２ばね支持部２２２の上部に位置する突起部２２２ｂを支持しているが、コネクタ端子２０の外側を支持して、コネクタ端子２０の倒れが規制できれば、ランス部に他の位置を支持させてもよい。例えば、第２ばね支持部２２２の底部を支持させたり、連結部２３の外側面（連結部２３の挿入空間Ｓ側とは反対となる面）のいずれかの箇所を支持させたりすることもできる。しかし、第２ばね支持部２２２の底部をランス部により支持させた場合には、ランス部の長さを端子本体部２０の下方に確保する必要があるため、コネクタ端子２０の高さが高くなってしまう。また、連結部２３の外側面をランス部により支持させた場合には、コネクタ端子２０の配列ピッチを拡げる必要がある。従って、ランス部３１１ａを第２ばね支持部２２２の突起部２２２ｂを支持させるのが望ましい。
【００５０】
（実施の形態２）
本発明の実施の形態２に係る雌側の電気コネクタのコネクタ端子を図面に基づいて説明する。なお、図１７から図１９においては、図４から図７、および図１４と同じ構成のものは同符号を付して説明を省略する。
図１７および図１９に示すように、コネクタ端子２０ｘは、端子本体部２０ａｘとして、第１ばね部２１１と第２ばね支持部２２２との底部同士を連結部２４により繋ぎ、第１ばね部２１１から連結部２４を介して第２ばね支持部２２２に跨る変形防止用の段差部２５を形成して、規制部として機能させたものとしている。
【００５１】
この段差部２５は、一面側が凹部となり、他面側が凸部となるビード加工により形成されている。ビード加工により、段差部２５を形成することで、凸部と凹部とによる段差を、第１ばね部２１１から連結部２４を介して第２ばね支持部２２２までに跨って、一度の加工で２箇所に設けることができる。なお、図１７および図１８に示すコネクタ端子２０ｘの段差部２５の断面形状は、台形状となっているが、断面形状が半円状の段差部を設けることも可能である。
【００５２】
段差部２５が形成されていることで、略Ｕ字状をなす第１ばね部２１１と連結部２４と第２ばね支持部２２２との剛性を高めることができるので、第１ばね部２１１と第２ばね支持部２２２とが離間する方向へ開きにくい。従って、第２ばね部２２１の弾性復帰力による雄接続端子１１０への接触圧を維持することができるので、雄接続端子１１０への接触信頼性の低下を防止することができる。
【００５３】
また、実施の形態１に係るコネクタ端子２０と同様に、端子本体部２０ａｘが可動部２１２ａにより揺動することで、端子本体部２０ａｘの変位に応じて、可動部２１２ａが閉じる方向へ弾性変形したり、開く方向へ弾性変形したりすることで、雄接続端子１１０への接触圧を保ちつつ、雄接続端子１１０の変位に端子本体部２０ａｘを追従させることができる。
【００５４】
このように、プリント基板Ｐ１，Ｐ２に振動により位置ずれが生じ、雄接続端子１１０が変位しても、第１ばね部２１１と第２ばね部２２１とによる雄接続端子１１０への接触圧を維持した状態で、端子本体部２０ａｘ全体が揺動して追従することで、雄接続端子１１０への接触信頼性の低下を防止することができる。
【００５５】
更に、実施の形態１に係るコネクタ端子２０と同様に、第２ばね支持部２２２の突起部２２２ｂがランス部３１１ａに係止しているため、第２ばね支持部２２２の倒れをランス部３１１ａが規制するので、第２ばね支持部２２２が倒れることが防止でき、第１ばね部２１１と第２ばね部２２１による接触圧を維持することができる。よって、端子本体部２０ａｘによる雄接続端子１１０への接触信頼性の低下の防止を図ることができる。
【００５６】
前記段差部２５のうち第１ばね部２１１に形成された段差部２５は、第１ばね部２１１の凸部２１１ｂ（図４参照）と、同等の機能を備えるため、段差部２５を第１ばね部２１１に設けることにより、雄接続端子１１０と接触する凸部２１１ｂを新たに形成することを省略することができる。
【００５７】
なお、本実施の形態では、段差部２５として、雄接続端子１１０の挿入空間側に段差部２５をビード加工により形成しているが、リブを第１ばね部２１１から連結部２４を介して第２ばね支持部２２２に跨るように形成してもよい。
【００５８】
以上、実施の形態１，２に係る電気コネクタのコネクタ端子を説明した。実施の形態１，２では、雄側および雌側の電気コネクタが２枚のプリント基板を接続するものであったが、雌側の電気コネクタと雄側の電気コネクタとは、固定される基体として、ケーブルに接続されるものであっても、他のものに接続されるものであってもよい。
【産業上の利用可能性】
【００５９】
本発明のコネクタ端子は、回路基板と嵌合する各種電気・電子機器用の電気コネクタ、あるいは車載用の電気コネクタに使用でき、電気・電子産業や自動車産業などの分野において広く利用することができる。
【符号の説明】
【００６０】
１０  電気コネクタ
２０，２０ｘ  コネクタ端子
２０ａ，２０ａｘ  端子本体部
２１  ばね端子部
２１１  第１ばね部
２１１ｂ  凸部
２１２  第１ばね支持部
２１２ａ  可動部
２１２ｂ  幅広部
２１２ｃ  突起部
２２  ばね端子部
２２１第２ばね部
２２１ａ  接点部
２２２  第２ばね支持部
２２２ａ  折り曲げ部
２２２ｂ  突起部
２２２ｃ，２２２ｄ  傾斜面
２３，２４  連結部
２５  段差部
２０ｂ  接続部
Ｓ  挿入空間
３０  ハウジング
３１  ハウジング本体部
３１１  隔壁部
３１１ａ  ランス部
３１１ｂ  先端部
３１１ｃ，３１１ｄ  当接面
３１２  内壁部
３１２ａ  台部
３１３  係合突起
３１４  係合凸部
３２  フランジ部
３２ａ  貫通孔
１００  電気コネクタ
１１０  雄接続端子
１２０  ハウジング
１３０  ハウジング本体部
１３１  周壁部
１３１ａ  係合孔
１３１ｂ  係合凹部
１４０  フランジ部
１４１  貫通孔
Ｒ  端子収容室
Ｐ１，Ｐ２  プリント基板
【図１】
0005522217.tif 000002
【図２】
0005522217.tif 000003
【図３】
0005522217.tif 000004
【図４】
0005522217.tif 000005
【図５】
0005522217.tif 000006
【図６】
0005522217.tif 000007
【図７】
0005522217.tif 000008
【図８】
0005522217.tif 000009
【図９】
0005522217.tif 000010
【図１０】
0005522217.tif 000011
【図１１】
0005522217.tif 000012
【図１２】
0005522217.tif 000013
【図１３】
0005522217.tif 000014
【図１４】
0005522217.tif 000015
【図１５】
0005522217.tif 000016
【図１６】
0005522217.tif 000017
【図１７】
0005522217.tif 000018
【図１８】
0005522217.tif 000019
【図１９】
0005522217.tif 000020